(57)【要約】【課題】  レンズの取付けが容易なメガネフレームを提供する。【解決手段】  一対のリム２、２と、両リム２、２の内端間を連結するブリッジ９と、各リム２の外端に連結されるヨロイ１０と、各ヨロイ１０に蝶番１１を介して回動自在に連結されるテンプル１２とを備える。各リム２は、上リム３と、上リム３の内端部に設けられる内リム５と、上リム３の外端部に設けられる外リム７とから構成される。上リム３の内面側には第１突起４が設けられ、内リム５の内面側には第２突起６が設けられ、外リム７の内面側には第３突起８が設けられる。各リム２の第１突起４、第２突起６及び第３突起８に対応するレンズ１５の周面の部分にそれぞれ第１嵌合孔１６、第２嵌合孔１７及び第３嵌合孔１８を設け、それらを相互に嵌合させることにより、レンズ１５が各リム２の内面側に取り付けられる。【選択図】        図３
2006091465.tif 000002
【特許請求の範囲】
【請求項１】
リムの内面側にレンズ支持用の突起を複数設け、該突起をレンズの周面に設けた嵌合孔内に嵌合させることにより、リムの内面側にレンズを保持するように構成したことを特徴とするメガネフレーム。
【請求項２】
前記突起は、レンズの上縁部に設けた第１嵌合孔内に嵌合される第１突起と、レンズの内縁部に設けた第２嵌合孔内に嵌合される第２突起と、レンズの外縁部に設けた第３嵌合孔内に嵌合される第３突起とを備えていることを特徴とする請求項１に記載のメガネフレーム。
【請求項３】
前記リムは、レンズの上縁部を支持する上リムと、該上リムの内端部に一体に設けられるとともに、レンズの内縁部を支持する内リムと、該上リムの外端部に一体に設けられるとともに、レンズの外縁部を支持する外リムとからなり、前記上リムに前記第１突起が設けられ、前記内リムに前記第２突起が設けられ、前記外リムに前記第３突起が設けられていることを特徴とする請求項２に記載のメガネフレーム。
【請求項４】
リムの内面側にレンズを取り付けるためのレンズ取付け方法であって、リムの内面側に複数の突起を設けるとともに、該突起に対応する嵌合孔をレンズの周面に設け、レンズの周面の嵌合孔内に各突起を嵌合させることにより、リムの内面側にレンズを取り付けるように構成したことを特徴とするレンズの取付け方法。
【発明の詳細な説明】
【技術分野】
【０００１】
本発明は、メガネフレーム及びレンズの取付け方法に関し、特に、レンズの取付けが容易なメガネフレーム及びレンズの取付け方法に関する。
【背景技術】
【０００２】
メガネフレームの一例として、一対の環状のリムと、両リムの内縁部間を連結するブリッジと、各リムの外縁部に蝶番を介して回動自在に連結されるテンプルと、各リムの内縁部に取り付けられるノーズパッドとを備えたものが知られている。
【０００３】
そして、このような構成のメガネフレームにレンズを取り付けるには、レンズの外形をリムの形状に合致した形状に形成するとともに、レンズの周面にリムの内面のレンズ取付け用溝に合致した突起を形成し、この突起をリムの内面のレンズ取付け用溝内に嵌合させ、リムをねじにより締め付けることにより、各リムの内側にそれぞれレンズを取り付けている（例えば、特許文献１参照。）。
【特許文献１】特開２００２−２２８９８６号公報
【発明の開示】
【発明が解決しようとする課題】
【０００４】
ところで、上記のような構成のメガネフレームにあっては、レンズをリムの内側に取り付ける場合に、レンズの外形をリムの形状に合致した形状に加工するとともに、レンズの周面にリムの内面のレンズ取付け用溝に合致した突起を形成しなければならないため、レンズの取付けに非常に手間がかかってしまう。さらに、使用中にリムのねじに緩みが生じた場合に、レンズにガタが生じてしまうため、定期的にリムのねじを増し締めする作業が必要となる。
【０００５】
本発明は、上記のような従来の問題を解決したものであって、レンズの取付けが容易であるとともに、定期的にリムのねじを増し締めする必要がなく、長期的にレンズを安定して保持することができるメガネフレーム及びレンズの取付け方法を提供することを目的とするものである。
【課題を解決するための手段】
【０００６】
上記のような課題を解決するために、本発明の請求項１に係るメガネフレームは、リムの内面側にレンズ支持用の突起を複数設け、該突起をレンズの周面に設けた嵌合孔内に嵌合させることにより、リムの内面側にレンズを保持するように構成した手段を採用している。
【０００７】
また、本発明の請求項２に係るメガネフレームは、請求項１に記載のメガネフレームであって、前記突起は、レンズの上縁部に設けた第１嵌合孔内に嵌合される第１突起と、レンズの内縁部に設けた第２嵌合孔内に嵌合される第２突起と、レンズの外縁部に設けた第３嵌合孔内に嵌合される第３突起とを備えている手段を採用している。
【０００８】
さらに、本発明の請求項３に係るメガネフレームは、請求項２に記載のメガネフレームであって、前記リムは、レンズの上縁部を支持する上リムと、該上リムの内端部に一体に設けられるとともに、レンズの内縁部を支持する内リムと、該上リムの外端部に一体に設けられるとともに、レンズの外縁部を支持する外リムとからなり、前記上リムに前記第１突起が設けられ、前記内リムに前記第２突起が設けられ、前記外リムに前記第３突起が設けられている手段を採用している。
【０００９】
さらに、本発明の請求項４に係るレンズの取付け方法は、リムの内面側にレンズを取り付けるためのレンズ取付け方法であって、リムの内面側に複数の突起を設けるとともに、該突起に対応する嵌合孔をレンズの周面に設け、レンズの周面の嵌合孔内に各突起を嵌合させることにより、リムの内面側にレンズを取り付けるように構成した手段を採用している。
【発明の効果】
【００１０】
本発明は、前記のように構成したことにより、リムの内面側に設けた突起に対応するレンズの周面の部分に嵌合孔をそれぞれ設け、リムの各突起をレンズの各嵌合孔内に嵌合させることにより、リムの内面側にレンズを取り付けることができることになる。
従って、リムの内面側にレンズ取付け用の溝を形成する必要はなく、またレンズの周面にリムの内面側のレンズ取付け用の溝に合致した突起を形成する必要がないので、レンズのメガネフレームへの取付けが容易となり、レンズを取り付ける際の手間を大幅に削減することができる。
さらに、レンズの周面の嵌合孔内にリム側の突起を嵌合させているので、リムに対してレンズが周方向に回動したり、前後、左右方向に移動したりするようなことはなく、長期的に安定してレンズを保持することができ、定期的にリムのねじを増し締めする必要がなくなる。
【発明を実施するための最良の形態】
【００１１】
以下、図面に示す本発明の実施の形態について説明する。
図１〜図４には、本発明によるメガネフレームの一実施の形態が示されていて、このメガネフレーム１は、一対のリム２、２と、両リム２、２の内端部間を連結するブリッジ９と、各リム２の外端部に一体に連結されるヨロイ１０と、各ヨロイ１０に蝶番１１を介して回動自在に連結されるテンプル１２とを備えている。
【００１２】
各リム２は、水平方向に延出されるとともに、外端部が下方に略直角に屈曲される略Ｌ形状の上リム３と、上リム３の内端部に一体に設けられて、上リム３から下方に延出される内リム５と、上リム３の外端部に一体に設けられて、上リム３から前方に略直角に延出される外リム７とから構成され、両リム２、２の両上リム３、３の内端部間がブリッジ９を介して一体に連結されている。
【００１３】
両リム２、２の形成方法は特に制限されるものではなく、１つの素材を屈曲させて両リム２、２の上リム３、内リム５、外リム７及びブリッジ９を形成しても良いし、複数の素材を溶接等によって繋ぎ合わせることにより、両リム２、２の上リム３、内リム５、外リム７及びブリッジ９を形成しても良い。
【００１４】
各リム２の上リム３の内面側の内端部には、各リム２の内方（下方）に突出する円柱状の第１突起４が一体に設けられ、内リム５の内面側の下端部には、各リム２の内方（水平方向）に突出する円柱状の第２突起６が一体に設けられ、外リム７の内面側の先端部には、各リム２の内方（水平方向）に突出する第３突起８が一体に設けられている。
【００１５】
第１突起４、第２突起６及び第３突起８は、溶接等の接合手段によってそれぞれ上リム３、内リム５、外リム７に一体に設けられている。なお、第１突起４、第２突起６及び第３突起８を、ねじ止め等の手段によって上リム３、内リム５及び外リム７に一体に設けるように構成しても良い。また、第１突起４、第２突起６及び第３突起８は、円柱状に限らず、角柱状等の他の形状としても良い。
【００１６】
各内リム５の先端部には、Ｃ形状に湾曲された棒状又はチューブ状の鼻当て部材１３がメガネフレーム１の後方に突出するようにそれぞれ一体に取り付けられ、この鼻当て部材１３を鼻の側面に当接させるように構成されている。
【００１７】
そして、上記のように構成したこの実施の形態によるメガネフレーム１を用いてこの発明によるレンズの取付け方法を実施するには、まず、レンズ１５の外形を各リム２の内面の形状に合致した形状に加工する。この場合、各リム２の内リム５と外リム７との間隔よりもレンズ１５の長手方向の寸法がやや長くなるように、レンズ１５の加工寸法を調整する。
【００１８】
次に、上リム３の第１突起４に対応するレンズ１５の上縁部の周面の部分に第１嵌合孔１６を穿設し、内リム５の第２突起６に対応するレンズ１５の内縁部の周面の部分に第２嵌合孔１７を穿設し、外リム７の第３突起８に対応するレンズ１５の外縁部の周面の部分に第３嵌合孔１８を穿設する。
【００１９】
次に、レンズ１５を各リム２の内面側に位置し、上リム３の第１突起４をレンズ１５の第１嵌合孔１６内に嵌合させ、内リム５と外リム７との間隔を広げるようにして、内リム５の第２突起６をレンズ１５の第２嵌合孔１７内に嵌合させ、外リム７の第３突起８をレンズ１５の第３嵌合孔１８内に嵌合させる。
【００２０】
このようにして、各リム２の内側の部分にそれぞれレンズ１５を取り付けることにより、メガネ２０が構成される。そして、このメガネ２０を顔に装着して、テンプル１２を耳に掛け、鼻当て部材１３を鼻の側面に当接させることにより、メガネ２０を顔の所定の位置に保持することができ、レンズ１５を通しての視界が得られるものである。
【００２１】
上記のように構成したこの実施の形態によるメガネフレーム１及びレンズの取付け方法にあっては、各リム２の内面側に設けた第１突起４、第２突起６及び第３突起８を、レンズ１５の周面に設けた第１嵌合孔１６、第２嵌合孔１７及び第３嵌合孔１８に嵌合させるだけで、各リム２の内面側にレンズ１５を取り付けることができるので、レンズ１５の取付けが容易となり、レンズ１５の取付けに要する手間を大幅に削減することができる。
【００２２】
また、レンズ１５は、各リム２の内面側に第１突起４、第２突起６及び第３突起８の３点で支持されているので、各リム２に対してレンズ１５が周方向に回動したり、各リム２に対してレンズ１５が前後、左右に移動したりするようなことはなく、レンズ１５を各リム２の所定の位置に安定して保持することができる。従って、定期的に各リム２のねじを増し締めするような手間がなくなる。
【００２３】
なお、前記の説明においては、各リム２の内面側に第１突起４、第２突起６及び第３突起８の３つの突起を設けたが、図示はしないが、２つ又は４つ以上の突起を各リム２の内面側に設けて、それらの突起をレンズ１５の周面に設けた嵌合孔内に嵌合させることにより、各リム２の内面側にレンズ１５を保持するように構成しても良い。２つの突起を設ける場合には、レンズ１５の一部を各リム２の一部に係止させることにより、周方向への回動、前後、左右方向への移動を阻止するように構成すれば良い。
【図面の簡単な説明】
【００２４】
【図１】本発明によるメガネフレームの一実施の形態を示した斜視図である。
【図２】図１の部分拡大図である。
【図３】本発明によるメガネフレームにレンズを取り付けてメガネを構成した状態を示した斜視図である。
【図４】レンズの斜視図である。
【符号の説明】
【００２５】
１  メガネフレーム
２  リム
３  上リム
４  第１突起
５  内リム
６  第２突起
７  外リム
８  第３突起
９  ブリッジ
１０  ヨロイ
１１  蝶番
１２  テンプル
１３  鼻当て部材
１５  レンズ
１６  第１嵌合孔
１７  第２嵌合孔
１８  第３嵌合孔
２０  メガネ
【図１】
2006091465.tif 000003
【図２】
2006091465.tif 000004
【図３】
2006091465.tif 000005
【図４】
2006091465.tif 000006